(57)【要約】【課題】  組立作業性に優れて薄型化にも好適な「スピーカ」を提供すること。【解決手段】  逆ドーム状に成形された振動板５と、ボビン３の基端部からテーパ状に延出して大径側周縁部８ａが振動板５の駆動位置に接着されたカップリングコーン８とを具備し、ボイスコイル４を巻装したボビン３の振動がカップリングコーン８を介して振動板５に伝達される逆ドーム型のスピーカ１において、ボビン３の基端部を保持する第１のダンパ９と、カップリングコーン８の大径側周縁部８ａを保持する第２のダンパ１０とを配設するダブルダンパ構造を採用し、これら２個のダンパ９，１０の各外周縁部をフレーム７に固定した。【選択図】  図１
2006121495.tif 000002
【特許請求の範囲】
【請求項１】
ボビンに巻装されたボイスコイルと、該ボイスコイルが配置される磁気ギャップを有する磁気回路と、この磁気回路側へ膨出するドーム状に成形された振動板と、前記磁気回路に一体化されて前記振動板の外周縁部をエッジ部を介して支持するフレームと、前記ボビンの基端部からテーパ状に延出して大径側周縁部が前記振動板の駆動位置に接着されたカップリングコーンとを備え、前記ボイスコイルへ通電することにより前記カップリングコーンを介して前記振動板が駆動される逆ドーム型のスピーカにおいて、
前記ボビンの基端部に第１のダンパの内周縁部を固定すると共に、前記カップリングコーンの大径側周縁部に第２のダンパの内周縁部を固定し、これら第１および第２のダンパの各外周縁部を前記フレームまたは前記磁気回路に固定したことを特徴とするスピーカ。
【請求項２】
請求項１の記載において、前記第１のダンパと前記第２のダンパとが略同等のダンパ長に設定されていることを特徴とするスピーカ。
【発明の詳細な説明】
【技術分野】
【０００１】
本発明は動電型のスピーカに係り、特に、逆ドーム状の振動板を用いて高音域や中音域での性能を高めた逆ドーム型スピーカに関する。
【背景技術】
【０００２】
逆ドーム型スピーカで使用される振動板は、磁気回路側へ膨出する浅いドーム状（逆ドーム状）に成形されており、この振動板の外周縁部はエッジ部を介してフレームに支持されている。かかる逆ドーム型スピーカでは振動板の中央部に開口が形成されていないので、先端部分にボイスコイルを巻装したボビンを振動板の所望の駆動位置に連結するために、ボビンの基端部から振動板へ向かって漸次大径となるテーパ状に成形されたカップリングコーンを付設し、このカップリングコーンの大径側周縁部を振動板の背面側の駆動位置に接着固定するという構成が一般的である（例えば、特許文献１参照）。このように、ボビンの基端部と振動板の駆動位置との間にカップリングコーンを介在させることによって、磁気回路で駆動されるボビンの振動をカップリングコーンを介して振動板の所望の駆動位置に伝達することが可能となる。
【０００３】
上述した逆ドーム型スピーカは、コーン型スピーカのように振動板の中央部にキャップを取り付ける必要がないため、高音域特性を向上させることができるという利点を有し、また、振動板の剛性が確保しやすいため、中音域での音の歪みを低減することができるという利点もある。
【特許文献１】特開平８−１０２９９３号公報（第４頁、図７）
【発明の開示】
【発明が解決しようとする課題】
【０００４】
ところで、このような逆ドーム型スピーカを組み立てる際には、基端部にカップリングコーンを延設した状態でボビンの先端部分を磁気回路の磁気ギャップに挿入し、このボビンにダンパを取り付けて支持した後、カップリングコーンの大径側周縁部に逆ドーム状の振動板を位置合わせして接着固定する必要があるが、振動板が接着されていない段階でのカップリングコーンは、その大径側周縁部が自由端部となっているためふらつきやすく、よって振動板を接着する過程でボビンに傾きが生じやすい。それゆえ、上記した従来の逆ドーム型スピーカにおいては、組立時にボビンが磁気ギャップ内で傾いたままカップリングコーンが振動板に接着されて不良品となってしまうことが多く、歩留まりが悪いという問題があった。
【０００５】
そこで、本発明者らは、逆ドーム型スピーカの組立不良率を改善するために、２個のダンパによってボビンを支持するダブルダンパ構造を採用することで、振動板をカップリングコーンに接着する際に懸念されるボビンの傾きを抑制できるスピーカを先に提案したが、かかる構成のスピーカは２個のダンパの間隔分だけボビンの高さ寸法を延長しなければならないので、薄型化が阻害されるという別の問題があった。
【０００６】
本発明は、このような従来技術の実情に鑑みてなされたもので、その目的は、組立作業性に優れて薄型化にも好適なスピーカを提供することにある。
【課題を解決するための手段】
【０００７】
本発明は、逆ドーム型スピーカにおいて、ボビンの基端部を保持する第１のダンパと、カップリングコーンの大径側周縁部を保持する第２のダンパとを配設するダブルダンパ構造を採用することとした。すなわち、第１のダンパの内周縁部をボビンの基端部に固定し、第２のダンパの内周縁部をカップリングコーンの大径側周縁部に固定すると共に、これら２個のダンパの各外周縁部をフレームまたは磁気回路に固定することによって、振動板をカップリングコーンに接着する際に該カップリングコーンがふらつかないようにした。
【発明の効果】
【０００８】
本発明による逆ドーム型スピーカは、ボビンの高さ寸法を延長する必要のないダブルダンパ構造を採用し、振動板をカップリングコーンに接着する組立段階で懸念されていたボビンの傾きを抑制しているため、組立不良が発生しにくくなって歩留まりおよび組立作業性が大幅に向上し、しかもスピーカの薄型化も阻害されないという優れた効果を奏する。
【発明を実施するための最良の形態】
【０００９】
本発明では、ボビンに巻装されたボイスコイルと、該ボイスコイルが配置される磁気ギャップを有する磁気回路と、この磁気回路側へ膨出するドーム状に成形された振動板と、前記磁気回路に一体化されて前記振動板の外周縁部をエッジ部を介して支持するフレームと、前記ボビンの基端部からテーパ状に延出して大径側周縁部が前記振動板の駆動位置に接着されたカップリングコーンとを備え、前記ボイスコイルへ通電することにより前記カップリングコーンを介して前記振動板が駆動される逆ドーム型のスピーカにおいて、前記ボビンの基端部に第１のダンパの内周縁部を固定すると共に、前記カップリングコーンの大径側周縁部に第２のダンパの内周縁部を固定し、これら第１および第２のダンパの各外周縁部を前記フレームまたは前記磁気回路に固定する構成とした。
【００１０】
このように構成されたスピーカは、カップリングコーンの小径側周縁部と大径側周縁部がそれぞれ第１のダンパと第２のダンパに保持されることになるため、カップリングコーンの大径側周縁部は振動板が接着されていない組立段階でも自由端部とならず、それゆえ振動板を接着する際のカップリングコーンのふらつきに起因するボビンの傾きが起こりにくくなり、組立不良率が大幅に低減して組立作業性も向上する。また、このスピーカは、２個のダンパによってボビンを支持するダブルダンパ構造であるが、ボビンに２個のダンパを取り付けるわけではないので、ボビンの高さ寸法を延長する必要はなく、よってスピーカの薄型化は阻害されない。また、ダブルダンパ構造であることから、ボビンが径方向へ振動するローリング現象が抑制されることになり、振幅が大きい場合でも安定した振動性能が期待できる。
【００１１】
上記の構成において、第１のダンパと第２のダンパとが略同等のダンパ長に設定されていることが好ましく、このようにするとボビンの傾きやローリング現象をより効果的に抑制することができる。
【実施例】
【００１２】
実施例について図面を参照して説明すると、図１は本発明の実施例に係る逆ドーム型スピーカの半断面図である。
【００１３】
同図に示すスピーカ１は、磁気ギャップＧを有する磁気回路２と、ボビン３の先端部に巻装されたボイスコイル４と、磁気回路２側へ膨出する浅いドーム状（逆ドーム状）に成形された振動板５と、磁気回路２に固定されて振動板５の外周縁部をエッジ部６を介して支持するフレーム７と、ボビン３の基端部（図示上端）から振動板５へ向かって漸次大径となるテーパ状に成形されたカップリングコーン８と、外周縁部がフレーム７に固定されて内周縁部がボビン３の基端部に固定された第１のダンパ９と、外周縁部がフレーム７に固定されて内周縁部がカップリングコーン８の大径側周縁部８ａに固定された第２のダンパ１０とによって概略構成されており、第１のダンパ９と第２のダンパ１０のダンパ長（径方向の長さ）はほぼ同等に設定されている。
【００１４】
磁気回路２は、径方向に着磁されたリング状のマグネット１１と、センターポール１２ａや環状外壁部１２ｂを有するヨーク１２とからなり、マグネット１１の外周面と環状外壁部１２ｂの内周面との間に磁気ギャップＧが形成され、ボイスコイル４はこの磁気ギャップＧ内に配置されている。ただし、磁気回路２の構成はこれ以外にも適宜選択可能である。
【００１５】
ボビン３の基端部にはカップリングコーン８の小径側周縁部８ｂが接着固定されており、両者３，８は一体的に振動する。また、ボビン３の基端部は第１のダンパ９に保持されているので、カップリングコーン８の小径側周縁部８ｂも第１のダンパ９に保持されている。一方、カップリングコーン８の大径側周縁部８ａは振動板５の所望の駆動位置に接着固定されており、ボビン３の振動がカップリングコーン８を介して振動板５に伝達されるようになっている。また、カップリングコーン８の大径側周縁部８ａは第２のダンパ１０に保持されている。
【００１６】
逆ドーム状の振動板５は、磁気回路２やボビン３、カップリングコーン８、第１および第２のダンパ９，１０等を覆うように配置されている。この振動板５はエッジ部６によって振動自在に支持されており、カップリングコーン８が振動すると振動板５が駆動されて振動するようになっている。
【００１７】
このように構成されたスピーカ１は、図示せぬリード線を介してボイスコイル４に音声電流を通電すると、電磁力によりボイスコイル４が振動するので、ボビン３の振動がカップリングコーン８を介して振動板５に伝達され、振動板５が駆動されて振動する。
【００１８】
また、かかる逆ドーム型のスピーカ１を組み立てる際には、先端部分にボイスコイル４を巻装して基端部にカップリングコーン８を接合したボビン３の該先端部を磁気回路２の磁気ギャップＧに挿入し、このボビン３の基端部に第１のダンパ９を取り付けると共に、カップリングコーン８の大径側周縁部８ａに第２のダンパ１０を取り付けて、ボビン３およびカップリングコーン８を両ダンパ９，１０にて支持した後、カップリングコーン８の大径側周縁部８ａに振動板５を位置合わせして接着固定する。かかる振動板５の接着工程において、大径側周縁部８ａが自由端部になっていると、カップリングコーン８がふらついてボビン３が磁気ギャップＧ内で傾いてしまう虞があるが、本実施例に係るスピーカ１では、カップリングコーン８の小径側周縁部８ｂと大径側周縁部８ａがそれぞれ第１のダンパ９と第２のダンパ１０に保持されており、大径側周縁部８ａが自由端部とならないため、カップリングコーン８のふらつきが抑制されている。したがって、このスピーカ１は、振動板５を接着する際に問題となっていたボビン３の傾きが起こりにくく、組立不良率が大幅に低減する。また、カップリングコーン８がふらつかず振動板５の位置合わせを比較的容易に行えることから、組立作業性も向上する。
【００１９】
また、このスピーカ１は、第１および第２のダンパ９，１０によってボビン３を支持するダブルダンパ構造であるが、ボビン３に２個のダンパを取り付けるわけではないので、ボビン３の高さ寸法を延長する必要はない。このことを図２に示す比較例を参照して説明すると、図２に示すスピーカ２０のように、所定の間隔を存して略平行に配設した２個のダンパ２１，２２をボビン３に取り付ける構成を採用した場合、これら２個のダンパ２１，２２の間隔分だけボビン３の高さ寸法を延長しなければならないので、ボビン３の傾きは防止できるが、スピーカ全体の薄型化が阻害されてしまう。しかるに、図１に示すスピーカ１は、ボビン３の高さ寸法を延長する必要のないダブルダンパ構造を採用しているので、スピーカ全体の薄型化が阻害される心配がない。しかも、このスピーカ１は、ダブルダンパ構造であることからボビン３のローリング現象を抑制する効果が高まり、振幅が大きい場合でも安定した振動性能が期待できる。
【００２０】
なお、上記実施例では、ボビン３の傾きやローリング現象を効果的に抑制するために、第１のダンパ９と第２のダンパ１０のダンパ長をほぼ同等に設定しているが、両ダンパ９，１０のダンパ長が同等でなくてもボビン３の傾きやローリング現象を抑制する効果はある。
【００２１】
また、上記実施例では、ボビン３に別部材のカップリングコーン８を接着固定して一体化した場合について説明したが、両者３，８を一体成形してなる部材を用いて部品点数や組立工数を減らすことも可能である。
【図面の簡単な説明】
【００２２】
【図１】本発明の実施例に係る逆ドーム型スピーカの半断面図である。
【図２】比較例を示す半断面図である。
【符号の説明】
【００２３】
１  スピーカ
２  磁気回路
３  ボビン
４  ボイスコイル
５  振動板
６  エッジ部
７  フレーム
８  カップリングコーン
８ａ  大径側周縁部
８ｂ  小径側周縁部
９  第１のダンパ
１０  第２のダンパ
Ｇ  磁気ギャップ
【図１】
2006121495.tif 000003
【図２】
2006121495.tif 000004